(57)【要約】  本発明は、固定セグメントと、固定セグメントの内側を摺動するように取り付けられた第１の伸縮セグメントとを含む伸縮式支柱と、固定セグメントに対して第１の伸縮セグメントをギヤまたはウィンチによってリフティングするための機構であって、回転軸を有する駆動シャフトと、ねじ回し機のねじ締めおよびねじ緩め用シャフトとの可逆的結合手段とを含む機構と、を含むプレートリフト器具用のねじ回し機支持体（４００）に関し、ねじ回し機支持体（４００）は、支柱（１０）に結合するための部材（４１０）と；駆動シャフトの回転軸に対して垂直、平行でありかつ所与の中心距離だけ横方向にオフセットされかつ使用の位置においてねじ回し機把持部を横方向でロックするように設計されたいわゆる「横方向」ストッパ（４２０）と、駆動シャフトの回転軸に対して垂直ストッパ（４２０）の位置を調整するための部材（４３０）とを、使用位置において含むことを特徴とする。
2017535704.tif 000002
【特許請求の範囲】
【請求項１】
固定セグメント（１１）と、前記固定セグメントの内側を摺動するように取り付けられた第１の伸縮セグメント（１２）とを含む伸縮式支柱（１０）と、
前記固定セグメントに対して前記第１の伸縮セグメントを、ギヤまたはウィンチによってリフティングするための機構（２０）であって、このリフト機構が、回転軸（ＸＸ）を有する駆動シャフト（２２）と、ねじ回し機のねじ締め／ねじ緩めシャフトとの可逆的な固定のための手段（２３２）とを含む機構（２０）と
を使用位置に関連して含むプレートリフト器具用のねじ回し機支持体（４００）であって、
前記支柱（１０）に固定するための部材（４１０）と、
−  前記駆動シャフトの回転軸（ＸＸ）に対して垂直、平行でありかつ所与の距離（Ｅ）だけ横方向にオフセットされ、使用の際、ねじ回し機把持部を横方向でブロックするように意図された、いわゆる横方向ストッパ（４２０）と、
前記駆動シャフト（２２）の前記回転軸（ＸＸ）に対して前記垂直ストッパ（４２０）の位置を調整するための部材（４３０）と
を使用位置に関連して含むことを特徴とする、ねじ回し機支持体（４００）。
【請求項２】
前記固定部材（４１０）が、第１端部に前記支柱に固定するための手段（４１２）を、および第２端部に２つの横方向の長円スロット（４１３）を設けられた長手方向プロファイル（４１１）を含み、
前記調整部材（４３０）が、前記固定部材にまたがる摺動ブラケットを含み、前記摺動ブラケットは、前記横方向ストッパ（４２０）が上に固定されたウェブ（４３１）と、丸い穴（４３３）および前記長手方向プロファイル（４１１）の前記長円スロット（４１３）と交差するように配置された長円スロット（４３４）をそれぞれ含む２つの羽根（４３２）とを有し、
前記摺動ブラケットが、前記摺動ブラケットの前記丸い穴（４３３）および前記プロファイルの前記長円スロット（４１３）に通される第１通しボルト（４３５）と、前記摺動ブラケットの前記長円スロット（４３４）および前記長手方向プロファイル（４１１）の前記長円スロット（４１３）に通される第２通しボルト（４３６）とによって前記固定部材（４１０）に調整可能に固定される、
請求項１に記載のねじ回し機支持体。
【請求項３】
前記支柱が回転式脚部（２００）を含み、前記固定部材が前記支柱の前記回転式脚部に固定されるように適合される、請求項２に記載のねじ回し機支持体。
【請求項４】
前記横方向ストッパ（４２０）が前記調整部材（４３０）に調整可能に固定される、請求項１〜３のいずれか一項に記載のねじ回し機支持体。
【請求項５】
前記横方向ストッパ（４２０）が前記調整部材（４３０）に調整不可能に固定される、請求項１〜３のいずれか一項に記載のねじ回し機支持体。
【請求項６】
前記固定部材（４１０）を前記支柱に固定するための前記手段（４１２）が、前記固定部材に固定されかつ支柱の幅（ＬＭ）に少なくとも等しい距離だけ互いに離間される２つの平行な固定板（４１４）を含み、各板（４１４）は、少なくとも１つの穴（４１５）を含み、前記少なくとも１つの穴（４１５）は、他方の板の穴を向き、前記支持体が前記支柱に位置付けられるとき通しボルト（４１６）を受け入れるように意図されている、請求項２〜５のいずれか一項に記載のねじ回し機支持体。
【請求項７】
前記横方向ストッパ（４２０）に対しておよび前記駆動シャフト（２２）の前記回転軸（ＸＸ）に対して垂直でありかつ使用の際にねじ回し機把持部を横断方向でブロックするように意図されたいわゆる横断方向ストッパ（４４０）を同じく含む、請求項１〜６のいずれか一項に記載のねじ回し機支持体。
【請求項８】
３面体を形成するように前記横方向ストッパ（４２０）に対しておよび前記横断方向ストッパ（４４０）に対して垂直でありかつ使用の際にねじ回し機把持部を支持するように意図されたいわゆる支持表面（４３１、４５０）を同じく含む、請求項１〜７のいずれか一項に記載のねじ回し機支持体。
【請求項９】
建築用プレートをリフティングするためのリフト器具であって、
固定セグメントと、前記固定セグメントの内側を摺動するように取り付けられた第１の伸縮セグメントとを含む伸縮式支柱と、
前記第１の伸縮セグメントを前記固定セグメントに対してギヤまたはウィンチによってリフティングするための機構であって、回転軸を有する駆動シャフトと、ねじ回し機のねじ締め／ねじ緩めシャフトとの可逆的な固定のための手段とを含む、リフティングするための機構と、
請求項１〜８のいずれか一項に記載のねじ回し機支持体と
を含むことを特徴とするリフト器具。
【請求項１０】
請求項１〜８のいずれか一項に記載のねじ回し機支持体を実装するための方法であって、以下のステップ、
（ａ）請求項９に記載のプレートリフト器具を用意するステップと、
（ｂ）ねじ回し機を用意し、それを前記リフト機構の前記駆動シャフトに固定するステップと、
（ｃ）請求項１〜８のいずれか一項に記載のねじ回し機支持体を用意し、その固定部材を前記器具の前記支柱に対して起動させるステップと、
（ｄ）前記ねじ回し機支持体の前記横方向ストッパが前記ねじ回し機と横方向で接触するように前記ねじ回し機支持体の前記調整部材を起動させるステップと
を含むことを特徴とする方法。
【請求項１１】
請求項２に記載のねじ回し機支持体を用いた、請求項１０に記載のねじ回し機支持体を実装するための方法であって、ステップ（ｄ）が以下の下位ステップ、
（ｄ１）前記ボルトを緩めるが前記摺動ブラケットおよび前記プロファイルの前記穴およびスロット内で係合させ、前記ねじ回し機支持体の前記横方向ストッパが前記ねじ回し機と横方向で接触するように、前記摺動ブラケットを前記プロファイルに沿って摺動し、前記摺動ブラケットを傾けるステップと、
（ｄ２）前記摺動ブラケットを前記プロファイル上にしっかりと保持するために前記ボルトを前記ナットで締め付けるステップと、
を含む方法。
【請求項１２】
請求項６に記載のねじ回し機支持体を用いた、請求項１０に記載のねじ回し機支持体を実装するための方法であって、ステップ（ｃ）が以下の下位ステップ、
（ｃ１）前記ねじ回し機支持体の前記２つの固定板が前記支柱の両側に配置されるように前記ねじ回し機支持体を前記支柱に対して配置するステップと、
（ｃ２）通しボルトを第１固定板の少なくとも１つの穴に、他方の固定板の対向する穴の所まで通し、前記固定板が力によって前記支柱を圧迫するようにナットを用いて前記ボルトを締め付けるステップと
を含む方法。
【発明の詳細な説明】
【技術分野】
【０００１】
本発明は、プレートリフト器具用の汎用型ねじ回し機支持体、そのような支持体を取り付けられた器具、および実装方法に関する。
【０００２】
特に、本発明は、傾斜した壁またはパーテーションに吊り天井または天井を形成するために、材料プレート（プラスチックボード、木材パネル等）などの重い物体を操作および位置付けるための構築作業の間に使用される、ウィンチまたはギヤ機構を備えた一般にプレートリフト装置と呼ばれるリフトおよび取扱い装置に関する。
【背景技術】
【０００３】
プレートリフト装置の一般的な構造は以下の通りである。ウィンチまたはギヤ機構を備えたリフト機構によって制御可能な伸縮式支柱が、回転式脚部に取り付けられている。プレート支持体が、回転機構を介して支柱の端部に回転可能に取り付けられている。
【０００４】
伸縮式支柱は、第１固定要素と、この固定要素に対して可動である少なくとも１つの伸縮式要素とを含む。一般に、支柱は２つの伸縮式可動要素を含む。
【０００５】
知られているプレートリフト装置は、例えばＦＲ２７５８１５０号に既に記載された型を含み、および、使用位置に関連して、
固定セグメントと、固定セグメントの内側を摺動するように取り付けられた第１の伸縮式セグメントとを含む伸縮式支柱と、
ロープ駆動装置を形成するケーブルおよびプーリの組と、
クランクハンドルと係合する駆動シャフトを含むケーブル引張ウィンチと
を含む。
【０００６】
この種のプレートリフト装置は、ねじ回し機によるウィンチの起動を許容しない。従ってこれはもっぱら手動でありまた低速である。
【０００７】
この問題を解決するために、Ｆｌｅｘ社によって販売されるＥＬＡＮＤ（登録商標）は、使用位置に関連して、
固定セグメントと、固定セグメントの内側を摺動するように取り付けられた第１の伸縮式セグメントとを含む伸縮式支柱と、
ロープ駆動装置を形成するケーブルおよびプーリの組と、
ねじ回し機と係合する駆動シャフトを含むケーブル引張ウィンチと
を含む。
【０００８】
使用者がねじ回し機を使用しようとするときに手首のねじれに悩まされることを防ぐために、ねじ回し機は、プレートリフト装置の支柱にそれ自体固定される。
【０００９】
ねじ回し機は単純な電動機構として機能するだけであり、ねじ回し機の使用はバッテリ駆動型モータの設計費用を制限する働きをするだけである。従って、建設現場で見出されるようにねじ回し機を使用することは不可能である。そのようなプレートリフト装置の非常に高い費用に加えて、ねじ回し機が常に存在することにより、器具が嵩高になり、また取り扱うには重くなる可能性がある。
【００１０】
ウィンチを備えたプレートリフト装置に加えて、本出願人は、ギヤ付きリフト機構を取り付けられたプレートリフト装置を開発した。この種の装置は、静音でありまたプレートをリフティングするために必要な力がより少ないので、特に興味深い。
【００１１】
そのようなプレートリフト装置が図１に示されている。
【００１２】
従ってこの装置は、使用位置に関連して、
固定セグメントと、固定セグメントの内側を摺動するように取り付けられた第１の伸縮セグメントとを含む伸縮式支柱と、
歯を設けられかつ第１の伸縮セグメントに沿って固定された、特定の幅のラックと、
ギヤシステムであって、
ラックと直接係合するピニオン、
ピニオンと係合しかつ手動制御ホイールに好ましくは固定された駆動シャフト
を含むギヤシステムと
を含む。
【００１３】
有利な実施形態によれば、駆動シャフトは、持ち運び可能な電気ねじ回し機を固定するためのエンドピースを取り付けられた端部を有する。従って、必要な力を制限するねじ回し機によってリフト機構を作動することが可能である。
【００１４】
ねじ回し機は、建設現場で非常に一般的に使用され、非常に簡単に充電できる。
【００１５】
それにもかかわらず、プレート支持体が荷重されると、使用者はねじ回し機を使用しようとするときに手首のねじれに悩まされる場合がある。実際に、使用者は、ねじ回し機のトルクが使用者の腕でなくギヤ機構に伝達されるように、ねじ回し機を非常にしっかりと定位置に保持しなければならない。
【発明の概要】
【発明が解決しようとする課題】
【００１６】
従って本発明は、汎用型ねじ回し機支持体を、すなわち、現在市販されている様々な型のねじ回し機の使用を可能にするねじ回し機支持体を提案し、それにより使用者が怪我をする危険性のないリフト機構の安全な作動を可能にする。
【００１７】
ねじ回し機は、ピストルの一般的形状を有し、モータ作動トリガを取り付けられた把持部と、モータによって作動されるねじ締め／ねじ緩めシャフトとを含む。モータは、把持部に可逆的に滑り込む充電式バッテリによって動力を供給される。使用位置において、バッテリは一般に手よりも低い位置にあり、ねじ回し機の基礎部分を構成する。
【課題を解決するための手段】
【００１８】
このため、本発明の目的は、
固定セグメントと、固定セグメントの内側を摺動するように取り付けられた第１の伸縮セグメントとを含む伸縮式支柱と、
固定セグメントに対して第１の伸縮セグメントをリフティングするためのギヤ付き機構であって、このリフト機構が、回転軸を有する駆動シャフトと、ねじ回し機のねじ締め／ねじ緩めシャフトとの可逆的な固定のための手段とを含むギヤ付き機構と
を使用位置に関連して含むリフト器具用のねじ回し機支持体であって、
支柱に固定するための部材と、
駆動シャフトの回転軸に対して垂直、平行でありかつ横方向にオフセットされたストッパと、
駆動シャフトの回転軸に対して垂直ストッパの位置を調整するための部材と
を使用位置に関連して含むねじ回し機支持体である。
【００１９】
他の実施形態によれば、
固定部材は、第１端部に支柱に固定するための手段を、および第２端部に２つの横方向長円スロットを設けられた長手方向プロファイルを含み、調整部材は、固定部材にまたがる摺動ブラケットを含み、摺動ブラケットは、横方向ストッパが上に固定されたウェブと、丸い穴および長手方向プロファイルの長円スロットと交差するように配置された長円スロットをそれぞれ含む２つの羽根とを有し、摺動ブラケットは、摺動ブラケットの丸い穴およびプロファイルの長円スロットに通される第１通しボルトと、摺動ブラケットの長円スロットおよび長手方向プロファイルの長円スロットに通される第２通しボルトとによって固定部材に調整可能に固定され、
支柱は回転式脚部（２００）を含んでもよく、および固定部材は支柱の回転式脚部に固定されるように適合されてもよく、
横方向ストッパは調整部材に調整可能に固定されてもよく、
横方向ストッパは調整部材に調整不可能に固定されてもよく、
固定部材を支柱に固定するための手段は、固定部材に固定されかつ支柱の幅に少なくとも等しい距離だけ互いに離間される２つの平行な固定板を含んでもよく、各板は、少なくとも１つの穴を含み、少なくとも１つの穴は、他方の板の穴を向き、支持体が支柱に位置付けられるとき通しボルトを受け入れるように意図されており、
ねじ回し機支持体はまた、横方向ストッパに対しておよび駆動シャフトの回転軸に対して垂直でありかつ使用の際にねじ回し機把持部を横断方向でブロックするように意図されたいわゆる横断方向ストッパを含んでもよく、および／または、
ねじ回し機支持体はまた、３面体を形成するように横方向ストッパに対しておよび横断方向ストッパに対して垂直でありかつ使用の際にねじ回し機把持部を支持するように意図されたいわゆる支持表面を含んでもよい。
【００２０】
本発明の別の目的は、建築用プレートをリフティングするためのリフト器具であって、
固定セグメントと、固定セグメントの内側を摺動するように取り付けられた第１の伸縮セグメントとを含む伸縮式支柱と、
ギヤまたはウィンチによって、第１伸縮セグメントを固定セグメントに対してリフティングするための機構であって、回転軸を有する駆動シャフトと、ねじ回し機のねじ締め／ねじ緩めシャフトとの可逆的な固定のための手段とを含む、リフティングするための機構と、
上に記載したようなねじ回し機支持体と
を含むことを特徴とするリフト器具である。
【００２１】
本発明のさらなる目的は、上に記載したようなねじ回し機支持体を実装するための方法であって、以下のステップ、
（ａ）上に記載したようなプレートリフト器具を用意するステップと、
（ｂ）ねじ回し機を用意し、それをリフト機構の駆動シャフトに固定するステップと、
（ｃ）上に記載したようなねじ回し機支持体を用意し、その固定部材を器具の支柱に対して起動させるステップと、
（ｄ）ねじ回し機支持体の横方向ストッパがねじ回し機と横方向で接触するようにねじ回し機支持体の調整部材を起動させるステップと
を含むことを特徴とする方法である。
【００２２】
他の実施形態によれば、
ステップ（ｄ）は以下の下位ステップ、
（ｄ１）ボルトを緩めるが摺動ブラケットおよびプロファイルの穴およびスロット内で係合させ、ねじ回し機支持体の横方向ストッパがねじ回し機と横方向で接触するように、摺動ブラケットをプロファイルに沿って摺動し、摺動ブラケットを傾けるステップと、
（ｄ２）摺動ブラケットをプロファイル上にしっかりと保持するためにボルトをナットで締め付けるステップと；を含んでもよく、
および／または、
ステップ（ｃ）は以下の下位ステップ、
（ｃ１）支持体の２つの固定板が支柱の両側に配置されるようにねじ回し機支持体を支柱に対して配置するステップと、
（ｃ２）通しボルトを第１固定板の少なくとも１つの穴に、他方の固定板の対向する穴の所まで通し、固定板が力によって支柱を圧迫するようにナットでボルトを締め付けるステップと
を含んでもよい。
【００２３】
本発明のさらなる特徴は以下の詳細な記載の中に提示され、以下の詳細な記載は添付の図面を参照して提供され、添付図面はそれぞれ以下を示す。
【図面の簡単な説明】
【００２４】
【図１】本発明によるねじ回し機支持体を取り付けられたプレートリフト装置の概略的な斜視図である。
【図２】本発明によるねじ回し機支持体の第１の実施形態の概略的で斜視的な部分分解図である。
【図３】図２のねじ回し機支持体の第１の実施形態の異なる視野角からの概略的な斜視図である。
【図４】本発明によるねじ回し機支持体の第２の実施形態の概略的で斜視的な部分分解図である。
【図５】図４のねじ回し機支持体の第２の実施形態の異なる視野角からの概略的な斜視図である。
【図６】ギヤ機構の上に位置する断面線に従う、図１のプレートリフト装置の上からの概略的な断面図である。
【発明を実施するための形態】
【００２５】
図１は、ギヤ付きリフト機構を取り付けられたプレートリフト装置を使用位置で示す。プレートリフト装置１は、回転式脚部２００が固定されたリフト機構１００と、プレート支持体３００とを含む。
【００２６】
リフト機構１００は、固定セグメント１１と、固定セグメント１１の内側を摺動するように取り付けられた第１伸縮セグメント１２とを含む伸縮式支柱１０を含む。ラック１３が第１伸縮セグメント１２に固定されている。
【００２７】
ラック１３は、図６により詳細に示されるギヤシステムと係合する。
【００２８】
ギヤシステム２０は、
ラック１３と直接係合するピニオン２１と、
制御ホイール２３に固定された駆動シャフト２２であって、ピニオン２１が駆動シャフト２２よりも速く回転するように配置されているデマルチプリケーションシステム２４を介してピニオン２１と間接的に係合する駆動シャフト２２とを含む。駆動シャフト２２は固定セグメント１１の壁を貫通している。
【００２９】
リフト機構の手動による作動を促すために、制御ホイール２３にクランクハンドル２３１が取り付けられてもよく、それは好ましくは制御ホイールに回転可能に取り付けられる。
【００３０】
駆動シャフトはホイールを貫通し、一端にエンドピース２３２が取り付けられる。このエンドピース２３２は、持ち運び可能な電気ねじ回し機によって支持される相補的エンドピースに固定するためのものである。このようにしてリフト機構をねじ回し機によって作動可能であり、ねじ回し機は提供されるべき力を制限する。
【００３１】
ねじ回し機の使用に特に適した好ましい実施形態において、デマルチプリケーションシステム２４は、
駆動シャフトに固定され、１３．５ｍｍの内半径（歯の基端）、１８ｍｍの外半径（歯の先端）および１６個の歯を有する第１ピニオン、
第１ピニオンと係合し、４９．５ｍｍの内半径（歯の基端）、５４ｍｍの外半径（歯の先端）、および５２個の歯を有するギヤホイール、
ギヤホイールと同心でありギヤホイールに固定された第２ピニオンであって、ラック１３と係合し、１３．５ｍｍの内半径（歯の基端）、１８ｍｍの外半径（歯の先端）および１６個の歯を有する第２ピニオン
を含む。
【００３２】
この実施形態は特に有利である、というのも、非常に強力な伝達を可能にし、その結果、手動モードの使用者もねじ回し機も疲労しない一方で、先行技術のプレートリフト装置で一般に見られる速度よりも高い支柱リフト速度を保証するためである。
【００３３】
本発明の特に興味深い実施形態による組合せにおいて、駆動シャフト２２は、一方向ベアリングを介して制御ホイール２３に固定される。この種のベアリングのおかげで、駆動シャフト２２が持ち運び可能な電気ねじ回し機と係合される場合、駆動シャフト２２は、制御ホイールを回転させることなく支柱伸長方向に高速で回転し得る。
【００３４】
使用者が起動するときねじ回し機がそれ自体の周りを回転しないことを保証するために、本発明は、適合可能なねじ回し機支持体４００をプレートリフト装置上に提供し、それによりねじ回し機の回転を防止するようにし、および、ねじ回し機のモータが全ての回転トルクをリフト機構の駆動シャフトに伝達し、使用者の手首に伝達しないようにする。
【００３５】
本発明によれば、ねじ回し機支持体４００は、使用位置に関連して、
支柱１０に固定するための部材４１０、
駆動シャフト２２の回転軸ＸＸに対して垂直、平行にかつ所与の距離Ｅだけ横方向にオフセットされ、かつ、使用に際してねじ回し機把持部（不図示）を横方向でブロックするように意図されている、いわゆる横方向ストッパ４２０、
駆動シャフト２２の回転軸ＸＸに対する垂直ストッパ４２０の位置の調整用の部材４３０
を全体として含む。
【００３６】
従って、本発明によるねじ回し機支持体を実装するために、使用者はねじ回し機をリフト機構の駆動シャフトに位置付けて固定する。
【００３７】
次に使用者は本発明によるねじ回し機支持体をプレートリフト装置に、ねじ回し機の下に、プレートリフト装置およびそのねじ回し機の寸法に応じて使用者によって決定された軸ＸＸに対して適切な高さｈ１で位置付けて、支持体の固定部材を、プレートリフト装置、好ましくは支柱上で起動させる。
【００３８】
最後に、使用者は、ねじ回し機支持体の横方向ストッパ４２０がねじ回し機と横方向で接触するように、ねじ回し機支持体の調整部材４３０を起動させる。
【００３９】
図１〜６に示される本発明の好ましい実施形態によれば、固定部材４１０は、長手方向プロファイル４１１を含み、長手方向プロファイル４１１は支柱１０に固定するための手段４１２を第１端部に設けられ、および２つの横方向の長円形スロット４１３を第２端部に設けられている。
【００４０】
固定部材を支柱に固定するための手段４１２は、有利に、２つの平行な固定板４１４を含み、２つの平行な固定板４１４は固定部材に固定され、および支柱の幅ＬＭに少なくとも等しい距離だけ互いに離間されている。
【００４１】
各板は、少なくとも１つの穴４１５を含み、少なくとも１つの穴４１５は他方の板の穴４１５を向き、および、支持体が支柱上に位置付けられるとき通しボルト４１６を受け入れるように作られている（図４および６参照）。
【００４２】
本発明によるねじ回し機支持体を実装するとき、使用者は、支持体の２つの固定板４１４が支柱の両側に配置されるように、ねじ回し機支持体４００を支柱に配置する。
【００４３】
次に使用者は、通しボルト４１６を、第１固定板の少なくとも１つの穴４１５に通し、他方の固定板の対向する穴まで通し、固定板が力によって支柱を圧迫するようにナット５００を用いてボルトを締め付ける。
【００４４】
支柱１０は回転脚部２００を有利に含む。示されない実施形態において、ねじ回し機支持体を固定するための手段は、支柱の回転脚部に取り付けられるように適合されてもよい。あるいは、それは、リフト機構がウィンチであるとき、ウィンチ支持体に取り付けられるように設計されてもよい。
【００４５】
図１〜６に示される実施形態は単に例として提供されるものであり、制限的なものではない。
【００４６】
固定部材は複数の形態を取ってもよく、固定自体はプレートリフト装置の設計に依存して様々な種類のものであり得る。
【００４７】
重要な要素は、使用の間、横方向ストッパがねじ回し機の回転を防止するように固定部材がねじ回し機支持体を保持することを可能にするということである。換言すると、重要な要素は、ねじ回し機の横方向のブロックである。
【００４８】
従って、例えば、支柱に対する固定は、リフト機構の駆動シャフトの回転軸に対して垂直な方向において剛性であり得、および、リフト機構の駆動シャフトの回転軸に対して平行な方向において自由であり得る。
【００４９】
図１〜６に示される本発明の好ましい実施形態によれば、調整部材４３０は、固定部材４１０をまたぐ摺動ブラケットを含む（図２は分かりやすくするために分解図を示し、摺動ブラケットは固定部材の上に示されている）。摺動ブラケットは、横方向ストッパ４２０が上に固定されるウェブ４３１と、２つの羽根４３２とを有し、２つの羽根４３２はそれぞれ、丸い穴４３３と、固定部材の長円スロット４１３と交差する長円スロット４３４とを含む。
【００５０】
摺動ブラケット４３０は、摺動ブラケットの丸い穴４３３および長手方向プロファイル４１１の長円スロット４１３に通される第１通しボルト４３５と、摺動ブラケット４３０の長円スロット４３４および長手方向プロファイル４１１の長円スロット４１３に通される第２通しボルト４３６とによって、固定部材４１０に調整可能に固定される（図４参照）。
【００５１】
この構成のおかげで、駆動シャフトに対する横方向ストッパ４２０の（軸ＸＸの方向における）軸方向距離を調整することが可能になり、これはねじ回し機の寸法に対する適合を可能にする。
【００５２】
これはまた、摺動ブラケットと水平方向Ｈとの間の角度αの調整も可能にする。
【００５３】
摺動ブラケットの角度αの調整は有益である。というのも、ほとんどのねじ回し機は、それらの基体の表面と、それらのねじ締め／ねじ緩めシャフトの回転軸との間にある角度を有するからである。この構成のおかげで、本発明によるねじ回し機支持体は、ある程度の自由および角度調整を有する。
【００５４】
この機能は、摺動ブラケットが、横方向ストッパ４２０に対しておよび駆動シャフト２２の回転軸ＸＸに対して垂直であり、かつ使用に際してねじ回し機の把持部を横断方向でブロックするように意図されている、いわゆる横断方向ストッパ４４０を含むときに特に有用である（図４および５）。
【００５５】
この機能はまた、摺動ブラケットがねじ回し機を、特にその把持部の基部（通常、バッテリの基部）を受け入れるのに十分に大きな支持表面４３１を含むときにも有益である。
【００５６】
好ましくは、この支持表面は、摺動ブラケットのウェブ４３１よりも大きい表面面積の板４５０からなり、この板は、使用の際、ねじ回し機の基体の表面の大部分の支持を可能にする（図４および５参照）。
【００５７】
この板は、横方向ストッパ４２０および横断方向ストッパ４４０に対して垂直になるように摺動ブラケットに固定され、使用位置においてねじ回し機をブロックするのに特に有効である３面体を形成する。
【００５８】
本発明によるねじ回し機支持体を実装する間、
（ｄ１）使用者は、摺動ブラケットの穴４３３および摺動ブラケットのスロット４３４およびプロファイルのスロット４１３の中に係合されているボルト４３５および４３６を緩める。次に使用者は、横方向ストッパ４２０が、および適用可能な場合横断方向ストッパ４４０およびねじ回し機支持体の支持表面４５０がねじ回し機の把持部と接触するように摺動ブラケットをプロファイルに沿って摺動させおよび傾け、
（ｄ２）最後に、使用者は、摺動ブラケットをプロファイル上でしっかり保持するために、ナット５００でボルト４３５および４３６を締め付ける。
【００５９】
本発明によるねじ回し機支持体の実施形態（不図示）において、横方向ストッパ４２０は、調整部材４３０に調整可能に固定される。具体的には、それは、使用位置において横方向ストッパをねじ回し機に対して適用するために調整可能である。例えば、横方向ストッパ４２０、板４５０および横断方向ストッパ４４０によって形成された３面体は、３面体の横方向の移動および横方向ストッパ４２０のねじ回し機に対する適用を可能にするために、摺動ブラケット上に調整可能に取り付けられる。
【００６０】
コストを制限するために、横方向ストッパを例えば溶接によって調整部材に調整不可能に固定することを提供することが可能である。この場合、ねじ回し機支持体に対する横方向ストッパ４２０の配置は、異なるねじ回し機の使用を許容するように設計されなければならない。特に、ねじ回し機の、特にバッテリのレベルにおける把持部の基礎部分における横方向の寸法は、考慮されなければならない。これらの寸法は、横方向ストッパ４２０と、リフト機構の駆動シャフトの回転軸ＸＸを通過する平行な面Ｐとを分離する距離である距離Ｅを定める（図５参照）。
【００６１】
距離Ｅは、使用されるねじ回し機の横方向寸法に依存する。距離Ｅは、把持部の底部（一般にバッテリの位置）におけるねじ回し機の横方向寸法の半分に実質的に等しい。
【００６２】
横方向ストッパ４２０がねじ回し機支持体に調整可能に取り付けられるとき（この実施形態は示されていない）、それは、横方向ストッパがねじ回し機の把持部と接触するように、ねじ回し機がギヤ機構の駆動シャフトと係合されているとき横方向ストッパの距離の位置を調整するのに十分である。
【００６３】
横方向ストッパ４２０がねじ回し機支持体に固定式に取り付けられているとき、それは、本発明による支持体の製造の間、ねじ回し機がブロックされる位置において完全に垂直でない場合でさえ、ほとんどのねじ回し機を使用中回転について横方向でブロックすることを保証するのに十分である。このため、ストッパの高さｈ２（図３参照）は、少なくとも３ｃｍ、好ましくは５〜１０ｃｍでなければならない。
【００６４】
実用において、３．７５ｃｍ〜４．２５ｃｍの固定距離Ｅが、市場のほとんどのねじ回し機に対して目的を果たすことができることが分かっている。
【００６５】
それにもかかわらず、より大きな距離を提供することによって、および、距離を適合させるために、小さな横方向寸法のねじ回し機を使用するためにそれを低減する。場合により異なる幅の、シムのセット（例えば磁石）を提供することによって、ねじ回し機支持体を設計することがシンプルである。
【図１】
2017535704.tif 000003
【図２】
2017535704.tif 000004
【図３】
2017535704.tif 000005
【図４】
2017535704.tif 000006
【図５】
2017535704.tif 000007
【図６】
2017535704.tif 000008
【国際調査報告】
2017535704.tif 000009
2017535704.tif 000010
2017535704.tif 000011
2017535704.tif 000012